(57)【要約】【課題】エレベーターのかご内に閉じ込められた乗客を救出し、救出処理完了後は、保守員が現地に到着するまでエレベーターが再起動せず、他の客がエレベーターを利用しようとかご内に乗り込むことがない、エレベーターの閉じ込め救出システムを提供する。【解決手段】救出処理時、かご１のドア２３と乗り場８のドア９が係合できる位置にかご１があった場合で、且つ、かご１のドア２３が運転制御盤５の指令にて開閉可能であった場合には、ドア開状態を継続させる。管制員は通話装置２、３にてかご１内の状況を確認し、乗客が全員かごの外に出たことを確認したら、モニタ１８て救出処理を完了すや指令を実行する。救出装置１１は前記完了の指令を受信すると、運転制御盤５に起動を停止する運転制御指令１５及び照明消灯させる照明制御指令１７を送信し、運転制御部５はエレベーターの再起動不可、及び、かご１内の照明２６を消灯させる。【選択図】図１
2005053639.tif 000002
【特許請求の範囲】
【請求項１】
昇降路内に昇降可能に納められたかご、乗客が乗り降りするためのかご側ドア及びかご側ドアと連動して開閉する乗り場側ドア、かご内の照明、及び前記かご側ドアの開閉やかご内の照明などを制御するための運転制御盤、かごに設置され外部のサービスセンタと電話回線を介して通話を行うための通話装置、前記運転制御盤から取り込んだかごの停止位置やドアの開閉状態およびかご内の状態などのエレベーターの情報に基づいて閉じ込め故障の発生を検出する閉じ込め検出手段、及び電話回線を介して前記閉じ込め故障の発生と前記運転制御盤から取り込んだエレベーターの情報をサービスセンタの監視装置に送信する通信手段、及び前記監視装置から送信されたエレベーターの運転制御盤に送信する手段を備えたエレベーターの閉じ込め救出システムにおいて、
前記運転制御盤の制御電源を遮断し投入する電源オフオン手段、前記かごの走行やドア開閉及びかご内照明を制御する手段を備え、また、前記サービスセンタの監視装置には前記運転制御盤から取り込んだ情報からエレベーターの状態を表示する手段、閉じ込め故障の発生原因を判定する手段、前記救出手段を操作する遠隔操作手段を備え、前記運転制御盤から取り込んだエレベーターの情報と通話装置によるかご内の乗客との会話に基づいてサービスセンタの監視装置から前記救出手段を制御することを特徴とするエレベーターの閉じ込め救出システム。
【請求項２】
請求項１において、前記運転制御盤から取り込んだエレベーターの情報と通話装置によるかご内の乗客との会話に基づいてサービスセンタの監視装置から救出手段を選択、実行し、かご側のドアと乗り場側のドアが係合できる位置にかごを運転させた場合、またはかご側のドアと乗り場側のドアが係合できる位置にかごがあった場合で、かご側のドアが運転制御盤の指令で開閉可能な状態となった場合に、運転制御盤からドア開の指令を実施し、かご側のドアが開ききったことを検出すると、乗客のかご外への脱出を邪魔しないよう、また、外部からかご内の状況を確認可能なよう、ドア開の状態を保持することを特徴とするエレベーターの閉じ込め救出システム。
【請求項３】
請求項２において、かご側のドア開を保持した状態で、前記通話装置にてサービスセンタがかご内から乗客が全員かご外に出たことを確認した場合に、保守員が現地に到着するまでエレベーターが起動しないように、サービスセンタの監視装置から救出処理の完了指令を送信すると、エレベーターに対して、起動停止を送信し、エレベーターは再起動不可となることを特徴とするエレベーターの閉じ込め救出システム。
【請求項４】
請求項３において、エレベーターが再起動不可状態となった場合、再び人がかご内に乗り込むことを防止する意味で、エレベーターに対して、かご内照明を消灯する指令を送信し、エレベーターがかご内照明を消灯することを特徴とするエレベーターの閉じ込め救出システム。
【請求項５】
請求項３、４において、救出処理が完了し、エレベーターが再起動不可及びかご内照明が消灯している場合に、かご内運転盤内に設置されている保守点検スイッチを一定時間以上オンすると、エレベーターの起動停止及びかご内照明消灯処理を解除することを特徴とするエレベーターの閉じ込め救出システム。
【発明の詳細な説明】
【技術分野】
【０００１】
本発明は、乗客がエレベーターかご内に閉じ込められた場合、遠隔操作によリエレベーターとその周辺の機器を制御して乗客を救出するエレベーターの閉じ込め救出システムに関するものである。
【背景技術】
【０００２】
従来、閉じ込めが発生した場合に、かごドアの開閉可能な範囲内にかごが位置する場合のかごドアの制御方法は、ドアの開釦操作によりドアを開し、一定時間経過後に自動でドアを閉するといった内容の発明がある。
【特許文献１】特開平９−８６８４０号公報（段落番号００１６〜００２８、図１〜３）
【発明の開示】
【発明が解決しようとする課題】
【０００３】
上述したような従来の技術では、老人や子供または身体障害者などがかごの外に出る前にドアが閉まってくることも考えられ、またそのような場合に、乗り場側のドアが閉まっていると、乗り場側からエレベーターが異常であるかどうかの判断が迅速に行えず、かご内に乗客がいた場合は救出が遅れるといった危険性があり、また、外部の人がエレベーターが正常だと判断し、かご内に乗り込もうとするが、エレベーターは動かないといった煩わしさを感じる恐れがある。
【０００４】
本発明はこのような事情に鑑みてなされたもので、その目的は、エレベーターを遠隔閉じ込め救出システムにて救出処理を行った場合、かご側のドアと乗り場側のドアが係合できる位置にかごがある場合で、かご側のドアが運転制御盤の指令で開閉可能な状態となった場合に、運転制御盤からドア開の指令を実施し、かご側のドアが開ききったことを検出すると、乗客のかご外への脱出を邪魔しないよう、また、外部からかご内の状況を確認可能なよう、ドア開の状態を保持することを特徴とするエレベーターの閉じ込め救出システムを提供することにある。
【０００５】
また、かご側のドア開を保持した状態で、通話装置にてサービスセンタがかご内から乗客が全員かご外に出たことを確認した場合に、サービスセンタの監視装置から救出処理の完了指令を送信すると、エレベーターに対して、起動停止及びかご内照明消灯の指令を送信し、エレベーターが再起動しないように、また、他の客がエレベーターを再び利用するためにかご内に乗り込まないように、エレベーターを再起動不可とし、かご内照明を消灯することを特徴とするエレベーターの閉じ込め救出システムを提供することにある。
【課題を解決するための手段】
【０００６】
上述した目的を達成するために、請求項１に記載の発明は、かごドアの開閉やかご内の照明などを制御するための運転制御盤、かごに設置され外部のサービスセンタと電話回線を介して通話を行うための通話装置、閉じ込め故障の発生を検出する閉じ込め検出手段、電話回線を介してエレベーターの情報をサービスセンタの監視装置に送信する通信手段、サービスセンタの監視装置から送信されたエレベーター制御指令をエレベーターの運転制御盤に送信する手段を備え、エレベーターの状態とかご内の乗客との会話により、遠隔から救出処理手段を選択することにより、乗客を安全に救出し、且つ、救出完了後のエレベーターを制御する構成となっている。
【発明の効果】
【０００７】
本発明の請求項１に記載の発明は、以上のように構成したので、エレベーターを遠隔閉じ込め救出システムにて救出処理を行った場合、乗客のかご外への脱出を邪魔しないよう、また、外部からかご内の状況を確認可能なよう、ドア開の状態を保持でき、また、保守員が現地に到着するまでエレベーターが起動せず、また、他の客がエレベーターを利用しようとかご内に乗り込むことはない。
【発明を実施するための最良の形態】
【０００８】
以下、本発明のエレベーターの閉じ込め救出システムの実施の形態を、運転制御盤を設置する機械室がある場合について、図に基づいて説明する。
【０００９】
図１において、１はロープ６に接続されたかご、２はかご１内の通話装置、３は電話回線２２を通じてかご１内の通話装置２に接続されたサービスセンタ内の監視装置４の通話装置、５は機械室に設置されエレベーターの動きを制御する運転制御盤、７はロープ６を通じてかご１に接続されたつり合いおもり、８は乗り場、９は乗り場８のドア、１０はかご１の昇降路、２４はかご１を昇降するための巻上げユニット、２０は巻上げユニット２４に付設するマグネットブレーキ、２３はかご側のドア、２６はかご内照明、２１はかご１内に設置された保守点検用スイッチである。１２は運転制御盤５から各機器の状況やかごの停止位置、ドアの開閉状態およびかご内の呼び登録釦の動作状態などのエレベーターの情報から閉じ込め故障が発生したことを検出する閉じ込め検出手段であり通信手段２５により電話回線２２を介してサービスセンタ内の監視装置４に接続され、閉じ込め故障の発生をサービスセンタ内の監視装置４に発報する。
【００１０】
また、図１において、１１はエレベーター運転制御盤５に付設される救出制御装置を示しており、この中にはエレベーター制御電源の遮断、投入によりエレベーターの動作を制御するマイクロコンピュータをリセットする電源オフオン手段１４、エレベーターの走行を制御する運転制御指令送信部１５、ドアの開閉を制御するドア開閉制御指令送信部１６、かご内照明の消灯を制御する照明制御指令送信部１７を備えている。
【００１１】
上述した手段の一例を図１により説明する。図１において、サービスセンタ内の監視装置４には閉じ込め故障の発報があった際、エレベーターの運転制御盤５から読み出したエレベーターの状態を表示するエレ状態表示手段２７、閉じ込め検出手段１２により検出された閉じ込め故障の原因を判定する閉じ込め原因判定手段１３、救出制御装置１１内の救出手段を遠隔から操作する遠隔操作手段１９を備えたモニター１８が設置されている。サービスセンタの管制員は閉じ込め故障が発生すると、最寄の営業所に保守員の出動指令を発すると共に、モニタ１８の画面のエレ状態表示手段２７に表示されるエレベーター状態と、かご１内の通話装置２とサービスセンタ内の監視装置４の通話装置３とで行う会話にてかご内状況を判断し、遠隔操作手段１９にて決定された救出手段を実行する。遠隔操作手段１９に決定された指令は通信手段２５により救出装置１１に送信され、救出装置１１は前記指令により、電源オフオン手段１４、あるいは、エレベーター運転制御盤５への指令送信１５〜１７を行う。この前記指令後に、エレベーターのかご１のドア２３と乗り場８のドア９が係合できる位置にかご１があった場合で、且つ、かご１のドア２３が運転制御盤５の指令にて開閉可能であった場合には、運転制御盤５からかご１のドア２３を関する指令を送信しドア開状態とする。運転制御盤５はかご１のドア２３が開ききったことを検出すると、ドア開状態を継続させる。サービスセンタの管制員はかご１内の通話装置２とサービスセンタ内の監視装置４の通話装置３にてかご１内の状況を確認し、乗客が全員かごの外に出たことを確認したら、監視装置４の遠隔操作手段１９にて救出処理を完了する指令を実行する。前記にて決定された救出処理の完了指令は通信手段２５により救出装置１１に送信され、救出装置１１はエレベーターの運転制御盤５に起動を停止する運転制御指令１５を送信し、運転制御部５は前記指令を受信するとエレベーターを再起動不可状態にする。救出装置１１に運転制御盤５から再起動不可状態になったことを受信すると、次に照明消灯させるために照明制御指令１７を送信し、運転制御部は前記指令を受信するとエレベーターのかご１内の照明２６を消灯させる。サービスセンタの管制員は前記救出処理の完了指令を送信後、再度かご１内の通話装置２とサービスセンタ内の監視装置４の通話装置３にてかご１内の状況を確認し、誰もかご内にいない事を確認し、電話回線２２を遮断する。最寄の営業所の保守員が現地に到着した場合にエレベーターが起動不可状態でかご１内の照明２６が消灯している場合は、かご１内の保守点検用スイッチ２１を所定時間以上オンさせることで、エレベーターの運転制御盤５が起動不可状態及び照明消灯状態を解除する。
【００１２】
尚、エレベーターの起動不可状態と照明消灯状態を解除するための、かご１内の保守点検用スイッチ２１のオン時間は誤動作の防止を考慮した時間とし、可変可能としても良い。
【００１３】
また、前記実施の形態は、運転制御盤を設置する機械室がある場合について述べたものであるが、運転制御盤が昇降路内に設置されたエレベーターに対しても適用可能である。
【図面の簡単な説明】
【００１４】
【図１】本発明の実施形態を示す説明図である。
【符号の説明】
【００１５】
１    かご
２    かご内の通話装置
３    監視装置内の通話装置
４    サービスセンタ内の監視装置
５    運転制御盤
６    ロープ
７    つり合いおもり
８    乗り場
９    乗り場側のドア
１０  昇降路
１１  救出制御装置
１２  閉じ込め検出手段
１３  閉じ込め原因判定手段
１４  制御電源オフオン手段
１５  運転制御指令送信部
１６  ドア制御指令送信部
１７  照明制御指令送信部
１８  モニタ
１９  遠隔操作手段
２０  マグネットブレーキ
２１  保守点検スイッチ
２２  電話回線
２３  かご側のドア
２４  巻上げユニット
２５  通信手段
２６  かご内の照明
２７  エレベーターの状態表示
【図１】
2005053639.tif 000003